(57)【要約】【課題】  被写体光学像で被写体を確認しつつ過去の画像も同時に観察できるファインダーと、適切な測光結果を得ることが両立できる撮像装置を提供する。【解決手段】  ファインダには、接眼窓を通して同時に観察可能である、被写体像が光学像として観察される第１表示領域と、表示手段により表示される電子画像が観察される第２表示領域とを設ける。第１表示領域で観察される被写体光学像の輝度を測定する測光センサを動作させるときには、表示制御手段は、第２表示領域に表示する電子画像の輝度を下げる。【選択図】  図９
2010016611.tif 000002
【特許請求の範囲】
【請求項１】
撮影レンズにより結像された被写体像を光電変換する撮像素子と、
前記被写体像が光学像として観察される第１表示領域と、表示手段により表示される前記撮像素子によって光電変換された電子画像が観察される第２表示領域とを、接眼窓を通して同時に観察可能なファインダ装置と、
前記光学像を測光する測光手段と、
前記測光手段が測光を行う時には、前記表示手段の表示輝度を下げる表示制御手段とを有する撮像装置。
【請求項２】
前記測光手段により測光された測光値を、前記表示制御手段により調整された表示輝度に基づいて補正する補正手段を有する請求項１に記載の撮像装置。
【請求項３】
撮影レンズにより結像された被写体像を光電変換する撮像素子と、
前記被写体像が光学像として観察される第１表示領域と、表示手段により表示される前記撮像素子によって光電変換された電子画像が観察される第２表示領域とを、接眼窓を通して同時に観察可能なファインダ装置とを有する撮像装置の制御方法であって、
前記光学像を測光する測光ステップと、
前記測光ステップが測光を行うときに、前記表示手段の表示輝度を下げる表示制御ステップとを有する撮像装置の制御方法。
【請求項４】
請求項３に記載の撮像装置の制御方法を実行するプログラム。
【発明の詳細な説明】
【技術分野】
【０００１】
本発明は、電子画像を撮影する撮像装置に関する。
【背景技術】
【０００２】
撮影者がファインダを覗くだけで、演算された適正露出値およびその前後の露出値とが撮影画面内に占める割合を知ることができるカメラが知られている（特許文献１参照）。このカメラは、ファインダ内のフォーカシングスクリーンで被写体像を、またその近くの表示装置で被写体の輝度分布と、シャッタ速度や絞りなどのカメラの露光条件をそれぞれ示すように構成されている。このカメラは、被写体像を２次元の碁盤の目状に分割し、各目ごとに輝度を測定し、カメラ内のＣＰＵで処理する。そして、カメラは、設計した露光条件に最適な輝度の目の数を中央に、これより高輝度の目の数をその右側に、低輝度の目の数を左側にそれぞれヒストグラムとして表示装置に表示している。
【特許文献１】特開平０６−２８２００４号公報
【発明の開示】
【発明が解決しようとする課題】
【０００３】
特許文献１に記載のカメラでは、フォーカシングスクリーンの近傍に比較的大型の表示装置が設けられており、また、このフォーカシングスクリーンに結像される被写体像を測光素子で測光する構成を採用している。しかしながら、撮影画像など輝度の高い電子像を表示装置に表示しようとすると、測光結果に影響を与える場合があった。
【０００４】
本発明は、上記問題点に鑑みなされたものであり、被写体光学像で被写体を確認しつつ過去の画像も同時に観察できるファインダーと、適切な測光結果を得ることが両立できる撮像装置を提供することを目的とする。
【課題を解決するための手段】
【０００５】
上記目的を達成するために、本発明の撮像装置は、撮影レンズにより結像された被写体像を光電変換する撮像素子と、前記被写体像が光学像として観察される第１表示領域と、表示手段により表示される前記撮像素子によって光電変換された電子画像が観察される第２表示領域とを、接眼窓を通して同時に観察可能なファインダ装置と、前記光学像を測光する測光手段と、前記測光手段が測光を行う時には、前記表示手段の表示輝度を下げる表示制御手段とを有することを特徴とする。
【発明の効果】
【０００６】
本発明に係る撮像装置によれば、ファインダから目を離すことなく被写体の光学像の観察を可能としたままで、電子画像をもって撮影された画像の状態、カメラの設定状態および撮影補助情報を確認可能である。同時に、撮影動作に移る際にも精度の高い測光結果を得ることができるので、ユーザの意図する撮影画像を得ることができる。
【発明を実施するための最良の形態】
【０００７】
本発明の撮像装置の実施の形態について図面を参照しながら説明する。本実施形態の撮像装置はデジタル一眼レフカメラに適用される。
【０００８】
［第１の実施形態］
本実施形態のデジタル一眼レフカメラは、ＣＭＯＳやＣＣＤ等の撮像素子で被写体像を撮像するスチルカメラである。このデジタル一眼レフカメラでは、撮像動作の開始を指示するためのレリーズ釦がカメラの外装筐体に設けられている。また、このカメラは、撮像モードとして、レリーズ釦を押し続けている間、撮像動作を繰り返す連続撮像モード（連写モード）を備えている。カメラは、この連写モードが選択された状態でレリーズ釦が操作されている間、被写体像観察用可動ミラーを撮像光路外に退避させ、被写体像を電子画像に光電変換する撮像動作を繰り返し行うようになっている。
【０００９】
図１は第１の実施形態におけるデジタル一眼レフカメラの電気回路の概略的構成を示す図である。デジタル一眼レフカメラ５０は、カメラ全体の動作シーケンスを司るＣＰＵ１４１、照明ユニット１０１、撮影レンズ１２０、可動ミラー１２４、シャッタ１２６および撮像素子１２７を有する。撮像素子１２７はアスペクト比３：２の矩形の撮像部を有する。
【００１０】
また、デジタル一眼レフカメラ５０は、ファインダ装置１３０、焦点検出装置１３９、内蔵プリンタ１６０、ズーム・ピント・防振駆動回路１３４、絞り駆動回路１３５、ミラー駆動回路１３６およびＡＦセンサ駆動回路１３７を有する。
【００１１】
また、デジタル一眼レフカメラ５０は、シャッタ駆動回路１３８、除塵機構駆動回路１６９、プリンタ制御回路１６１、撮像素子防振制御回路１７２、ＧＰＳ回路１６２、無線通信回路１６３およびデジタルテレビチューナ１６４を有する。プリンタ制御回路１６１は内蔵プリンタ１６０を制御する。撮像素子防振制御回路１７２は撮像素子１２７の位置を動かして画像の振れを止める。ＧＰＳ回路１６２はカメラの位置を計測する。
【００１２】
また、デジタル一眼レフカメラ５０は、赤外線通信回路１７０、音声処理回路１６５および画像改ざん検知用データ処理回路１６６を有する。赤外線通信回路１７０は携帯電話等との間で比較的少ないデータ量の通信を行う。音声処理回路１６５には、マイクやスピーカが含まれる。
【００１３】
また、デジタル一眼レフカメラ５０は、スイッチ入力部１４２、ＥＥＰＲＯＭ１４３、信号処理回路１４５、照明制御回路１４６、ＥＰＲＯＭ１４７、ＳＤＲＡＭ１４８およびフラッシュメモリ１５０を有する。
【００１４】
撮影レンズ１２０は、複数のレンズ群１２１、１６７、１２３から構成され、これらのレンズ群の間には、絞り機構１２２が設けられている。レンズ群１２１、１６７、１２３はズーム・ピント・防振駆動回路１３４によって駆動される。また、絞り機構（単に絞りという）１２２は絞り駆動回路１３５によって駆動される。
【００１５】
レンズ群１２１、１６７、１２３の後方には、可動ミラー１２４が設けられている。可動ミラー１２４は、ハーフミラーおよびその保持機構から構成され、第１の位置であるミラーダウンの位置と第２の位置であるミラーアップの位置に移動自在である。可動ミラー１２４は、露光時（撮像時）に、固定軸１２４ａの周りに回転しながら、第１の位置からフォーカシングスクリーン１３１に向けて、ミラーアップの位置である第２の位置に跳ね上がり、撮影光路から待避する。また、可動ミラー１２４の中央部分の背面には、凹面鏡で構成されたサブミラー１２５が図中下方に被写体光を反射するように設けられている。
【００１６】
サブミラー１２５の反射光軸の下方には、２つのレンズで像分離を行う再結像光学系１２８が設けられ、さらに、再結像光学系１２８による被写体像の結像位置には、ＡＦセンサ１２９が設けられている。ＡＦセンサ１２９には、ＡＦセンサ駆動回路１３７が接続されている。
【００１７】
なお、サブミラー１２５、再結像光学系１２８およびＡＦセンサ１２９は、焦点検出装置１３９を構成する。焦点検出装置１３９は、公知の位相差検出方式によって、撮像素子１２７上の複数の位置において被写体の結像状態を検出する。
【００１８】
ズーム・ピント・防振駆動回路１３４は、既知の電磁モータ、超音波モータ等の駆動源、これらの駆動源を制御するドライバ回路、レンズの位置を検出するエンコーダ装置等から構成されている。ズーム制御およびピント制御では、レンズ群１２１、１６７、１２３の光軸方向の位置が制御される。また、防振制御では、レンズ群１６７の光軸と直交する方向の位置が制御される。
【００１９】
可動ミラー１２４の反射光路上には、ファインダ光学系が設けられている。ファインダ光学系は、フォーカシングスクリーン１３１、光学ガラスからなるペンタプリズム１３２、接眼レンズ１３３等から構成される。ファインダ装置１３０は、このファインダ光学系に、液晶表示器１０８、プリズム１５４、測光レンズ１５５、測光センサ１５６等を加えた構成を有する。
【００２０】
撮影レンズ１２０のレンズ群１２１、１６７、１２３を透過した被写体光（入射光）は、可動ミラー１２４で反射され、フォーカシングスクリーン１３１上に結像される。観察者は、このフォーカシングスクリーン１３１に結像された光学被写体像を、ペンタプリズム１３２および接眼レンズ１３３を介し、単一の接眼窓１６８を通して視認する。光学像を観察する利点は、時間遅れが事実上無いことである。
【００２１】
測光センサ１５６は、測光レンズ１５５を介してフォーカシングスクリーン１３１上の被写体像の明るさを測光するためのセンサである。測光センサ１５６は、ファインダ装置１３０内の、接眼レンズ１３３の観察光軸から偏心した測光軸上の位置に測光レンズ１５５とともに設けられている。また、測光センサ１５６は、複数に分割された受光面を有するフォトダイオードで形成されている。ＣＰＵ１４１は、測光センサ１５６のフォトダイオードから個々に出力された輝度出力に対し、焦点検出装置１３９によるフォーカシングスクリーン１３１上の測距位置に応じた演算を施す。そして、ＣＰＵ１４１は、この演算結果から露光制御を行うための被写体輝度情報（ＢＶ値）を求める。
【００２２】
可動ミラー１２４の後方には、シャッタ１２６、除塵機構１６９、およびＣＣＤやＣＭＯＳイメージャ等の撮像素子１２７が設けられている。
【００２３】
シャッタ１２６は、シャッタ駆動回路１３８によって駆動されて所定秒時開放し、被写体像を撮像素子１２７の受光面に導くものである。可動ミラー１２４がミラー駆動回路１３６により駆動され、撮影レンズ１２０の光軸上から退避するために第２の位置に上昇し、シャッタ１２６がシャッタ駆動回路１３８により駆動され、開状態になる。これにより、撮像素子１２７の受光面に被写体像が導かれ、撮像動作が行われる。この際、撮像素子防振制御回路１７２に接続された撮像素子防振機構１７１は、画像のブレを打ち消す方向に撮像素子１２７をシフトおよび回転させ、画像が流れて解像感が失われることを防ぐ。
【００２４】
なお、撮像素子防振機構１７１は、ファインダ装置１３０への光路の分割位置よりも撮像素子１２７よりにあるので、撮像素子１２７のシフトや回転による構図の変化をファインダ装置１３０で確認することはできない。
【００２５】
除塵機構１６９は、光学ローパスフィルタや赤外線カットフィルタを機械的に振動させ、これらに付着した異物に加速度を与え、それによって発生する力で異物を振るい落とすものである。
【００２６】
マイクロプロセッサで構成されるＣＰＵ１４１には、データバス１５２を介して、ズーム・ピント・防振駆動回路１３４、絞り駆動回路１３５、ミラー駆動回路１３６、ＡＦセンサ駆動回路１３７および除塵機構駆動回路１６９が接続されている。また、ＣＰＵ１４１には、データバス１５２を介して、シャッタ駆動回路１３８、プリンタ制御回路１６１、撮像素子防振制御回路１７２、ＧＰＳ回路１６２、無線通信回路１６３、デジタルテレビチューナ１６４および赤外線通信回路１７０も接続されている。また、ＣＰＵ１４１には、データバス１５２を介して、前述した音声処理回路１６５、画像改ざん検知用信号処理回路１６６および照明制御回路１４６も接続されている。また、ＣＰＵ１４１には、データバス１５２を介して、スイッチ入力部１４２、および不揮発性メモリであるＥＥＰＲＯＭ１４３が接続されている。
【００２７】
スイッチ入力部１４２は、カメラの外装筐体に設けられたレリーズ釦（図示せず）の半押し操作に連動してオンになる第１レリーズスイッチ、および同レリーズ釦の深押し操作に連動してオンになる第２レリーズスイッチを有する。また、スイッチ入力部１４２は、カメラのパワースイッチに連動するスイッチ、カメラ内の各種モード釦に連動するモードスイッチ等の複数のスイッチを有する。スイッチ入力部１４２は、いずれかのスイッチ操作に基づく操作信号をＣＰＵ１４１に供給する。
【００２８】
ＥＥＰＲＯＭ１４３は不揮発性の半導体メモリである。ＥＥＰＲＯＭ１４３には、生産工程において、個々のカメラのばらつきを抑えて出荷するために必要なカメラの固体毎の調整値が格納されている。また、ＥＥＰＲＯＭ１４３には、測光センサ１５６からの出力により、ＣＰＵ１４１が後述するバックライト１０８ｂの光量を規定するためのＢＶ値とバックライト光量の関係を示す係数等が格納されている。
【００２９】
ＣＰＵ１４１は、第１レリーズスイッチがオンになると、ＡＦセンサ駆動回路１３７を制御し、ＡＦセンサ１２９上の２像間の距離を演算し、その距離データからズーム・ピント・防振駆動回路１３４を制御し、撮影レンズ１２０の焦点調整を行う。
【００３０】
また、ＣＰＵ１４１は、第２レリーズスイッチがオンになると、ミラー駆動回路１３６を制御し、可動ミラー１２４を光軸上から第２の位置に退避させる。ＣＰＵ１４１は、この退避制御とともに、測光センサ１５６の出力に基づく被写体輝度情報を基に、適正絞り値、シャッタ秒時および撮像素子感度を求める。ＣＰＵ１４１は、求めた絞り値で絞り駆動回路１３５を介して絞り機構１２２を駆動させる。ＣＰＵ１４１は、求めたシャッタ秒時でシャッタ駆動回路１３８を介してシャッタ１２６を駆動させる。
【００３１】
また、ＣＰＵ１４１は、ＥＥＰＲＯＭ１４３に格納されたＢＶ値とバックライト光量の関係を示す係数を参照し、バックライト１０８ｂに供給する電流量を決定し、視認するに適切な光量を得る。
【００３２】
シャッタ１２６の開動作によって、被写体像が撮像素子１２７の受光面に結像すると、この被写体像は、アナログ画像信号に変換され、さらに、信号処理回路１４５においてデジタル画像信号に変換される。
【００３３】
信号処理回路１４５は、その内部にＲＩＳＣプロセッサ、カラープロセッサ、ＪＰＥＧプロセッサを含み、デジタル画像信号の圧縮・伸張処理、ホワイトバランス処理、エッジ強調処理等の画像処理を行う。また、信号処理回路１４５は、液晶表示器１０８に出力されるコンポジット信号（輝度信号、色差信号）への変換処理等を行う。
【００３４】
ＣＰＵ１４１および信号処理回路１４５は、通信ライン１５３で接続されている。この通信ライン１５３を介して、画像信号の取り込みタイミング等の制御信号やデータの送受が行われる。
【００３５】
信号処理回路１４５で生成されたコンポジット信号は、ファインダ装置１３０内の液晶表示器１０８に出力され、電子被写体像が表示される。この液晶表示器１０８は、ペンタプリズム１３２と接眼レンズ１３３の間に設けられている。液晶表示器１０８は、カラー画像を表示するための表示素子であるＬＣＤ（液晶表示素子）１０８ａ、およびこのＬＣＤ１０８ａの表示面を後方から照明するためのバックライト１０８ｂから構成される。バックライトライト１０８ｂには、例えば白色ＬＥＤが用いられる。
【００３６】
ペンタプリズム１３２には、第３反射面１３２ａを延長した面１５４ｂを有し（図３参照）、ペンタプリズム１３２と同一の屈折率を有するプリズム１５４がインデックスマッチングを取った接着剤を用いて固着されている。液晶表示器１０８を発した光線は、プリズム１５４の内部で２回反射し、接眼レンズ１３３の方向へ導かれる。この際、液晶表示器１０８のＬＣＤ１０８ａの表示面は、面１５４ａの曲率によって、フォーカシングスクリーン１３１と光学的に等価な位置となっている。そして、可動ミラー１２４が第１の位置にあるか第２の位置にあるかに拘わらず、ＬＣＤ１０８ａに表示された画像は接眼窓１６８を通して観察可能である。なお、ＬＣＤ１０８ａに表示された画像の明るさは、バックライト１０８ｂである白色ＬＥＤの電流供給量を変化させることで、適切な明るさに調整される。
【００３７】
信号処理回路１４５は、データバス１５１を介して、ＥＰＲＯＭ１４７、ＳＤＲＡＭ（シンクロナスダイナミックランダムアクセスメモリ）１４８およびフラッシュメモリ１５０に接続されている。
【００３８】
ＥＰＲＯＭ１４７には、信号処理回路１４５に含まれるプロセッサ（ＣＰＵ）で処理されるプログラムが格納されている。ＳＤＲＡＭ１４８は、画像処理前の画像データや画像処理中の画像データを一時的に記憶する揮発性のメモリである。フラッシュメモリ１５０は、最終的に確定された画像データを記憶する不揮発性のメモリである。ＳＤＲＡＭ１４８は高速動作を行うことができるが、電源供給が停止されるとその記憶内容が消滅する。一方、フラッシュメモリ１５０は低速動作であるが、カメラの電源がオフされても記憶内容が保存される。
【００３９】
照明ユニット１０１は、発光パネル１０３、反射傘１１８およびＲＧＢ各色の高輝度ＬＥＤ１１９を有する。高輝度ＬＥＤを発した光は、直接に、あるいは反射傘１１８で反射され、発光パネル１０３を通過して被写体に向けて照射される。なお、照明ユニット１０１は、カメラ本体から取り外されても、内蔵電池（図示せず）によって無線通信回路が機能する。つまり、照明ユニット１０１は、例えばＵＷＢ規格で無線通信回路１６３を介してカメラ本体（カメラ５０）と通信し、カメラ本体側から遠隔操作できるように構成されている。照明制御回路１４６は、ＣＰＵ１４１の制御の下で、ＲＧＢ各色の光量バランスを決定し、高輝度ＬＥＤ１１９への発光指示を制御する。
【００４０】
図２は信号処理回路１４５の電気回路の構成およびそれに接続される周辺回路を示すブロック図である。信号処理回路１４５には、信号処理動作を制御する制御回路としてのＣＰＵ５００、およびＣＰＵ５００に接続され、ＣＰＵ５００からの制御信号に従って動作する複数の回路が含まれている。また、ＣＰＵ５００は、通信ライン１５３を介してカメラシーケンス制御用のＣＰＵ１４１と接続されており、ＣＰＵ１４１から送信された制御信号に従って、信号処理回路１４５内の各回路を制御する。信号処理回路１４５内には、複数の回路として、第１の画像処理回路５０１、間引き・抽出処理回路５０２、第２の画像処理回路５０６および第３の画像処理回路５０３が設けられている。また、信号処理回路１４５内には、ビデオデコーダ５０４、ホワイトバランス処理回路５０５およびＪＰＥＧ圧縮／伸張処理回路５０７が設けられている。
【００４１】
第１の画像処理回路５０１は、ＣＰＵ５００で設定された駆動条件に従って、撮像素子１２７を駆動し、撮像素子１２７から出力されたアナログ画像信号をＡ／Ｄ変換してデジタル画像信号を生成する前段処理回路である。また、第１の画像処理回路５０１は、撮像素子１２７の遮光部分の画素信号に基づき、デジタル画像信号を補正する。
【００４２】
間引き・抽出処理回路５０２は、第１の画像処理回路５０１から出力されたデジタル画像信号の間引き処理を行い、第２の画像処理回路５０６および第３の画像処理回路５０３に出力する。ここで、間引き処理とは、解像度を低下させる処理である。なお、第３の画像処理回路５０３に出力されるデジタル画像信号は、液晶表示器１０８に表示される電子被写体像の信号である。
【００４３】
ここで、第２の画像処理回路５０６に出力されるデジタル画像信号の間引きの度合いは、ユーザが設定した解像度に応じて、ＣＰＵ５００によって指示される。また、第３の画像処理回路５０３に出力されるデジタル画像信号の間引きの度合いは、画像表示に適した解像度になるように、ＣＰＵ５００によって指示される。
【００４４】
また、間引き・抽出処理回路５０２は、上記デジタル画像信号の一部を抽出し、ホワイトバランス処理回路（以下、ＷＢ処理回路という）５０５に出力する。デジタル画像信号の抽出の方法はＣＰＵ１４１によって指示される。
【００４５】
ＷＢ処理回路５０５は、画像の色バランス（ホワイトバランス）を調整するためのホワイトバランス情報（ＷＢ情報）を出力する回路である。このＷＢ情報は、第３の画像処理回路５０３に直接送られ、第２の画像処理回路５０６には、ＣＰＵ１４１を経由して送られる。
【００４６】
第３の画像処理回路５０３は、液晶表示器１０８の表示用画像を生成する回路である。第３の画像処理回路５０３は、簡易後段処理回路として、上記デジタル画像信号に対し、γ補正、データビット数の削減、ＷＢ情報に基づく色調整、ＲＧＢ信号からＹＣｂＣｒ信号ヘの変換等の公知の処理を行う。一般的に、液晶表示器１０８に撮像画像を繰り返し表示する場合、ソフトウェアによる処理では速度が間に合わないことが多い。従って、表示のための画像処理は、全て第３の画像処理回路５０３でハードウェア的に処理されるようになっている。
【００４７】
ビデオデコーダ５０４は、上記デジタル画像信号を構成するＹＣｂＣｒ信号をＮＴＳＣ信号に変換して電子被写体像を形成し、この電子被写体像を液晶表示器１０８のＬＣＤ１０８ａに表示させる。なお、ＬＣＤ１０８ａの表示面は、バックライト１０８ｂによって、ＣＰＵ１４１で規定された光量で後方から照明される。
【００４８】
第２の画像処理回路５０６は、フラッシュメモリ１５０に記憶するための上記デジタル画像信号を生成する回路である。第２の画像処理回路５０６は、後段処理回路として、γ補正、上記デジタル画像信号のデータビット数の削減、ＷＢ情報に基づく色調整、ＲＧＢ信号からＹＣｂＣｒ信号への変換、撮像素子１２７の欠陥画素補正、スミア補正、色相や色度等の公知の処理を行う。
【００４９】
ＪＰＥＧ圧縮／伸張処理回路５０７は、第２の画像処理回路５０６で処理されたデジタル画像信号をフラッシュメモリ１５０に記憶する際、ＪＰＥＧ圧縮処理を行う。また、ＪＰＥＧ圧縮／伸張処理回路５０７は、フラッシュメモリ１５０に記憶されたＪＰＥＧ画像を読み出して伸張する。
【００５０】
図３はファインダ装置１３０の構成を示す断面図である。図４は図３の矢印Ａ方向から視た場合のファインダ装置１３０の構成を示す側面図である。図１に示す可動ミラー１２４で反射・分岐した光路上には、フォーカシングスクリーン１３１、コンデンサレンズ１８０およびペンタプリズム１３２が設けられている。撮影レンズ１２０のレンズ群１２１、１６７、１２３によってフォーカシングスクリーン１３１上に結像した被写体光は、コンデンサレンズ１８０およびペンタプリズム１３２を透過し、面１３２ｂからアイカップ１８６で囲まれた接眼窓１６８の方向へ射出する。この際、被写体光は、ダイクロミラー１８２を透過し、３つのレンズ１３３ａ、１３３ｂ、１３３ｃで構成される接眼レンズ１３３を介して、アイカップ１８６に保護されながら接眼窓１６８を覗く観察者の目に到達し、その網膜上で再結像する。
【００５１】
ダイクロミラー１８２は、有機ＥＬ表示素子１８５を発し、ミラー１８４と視度合わせレンズ１８３を透過した光を接眼窓１６８方向に反射する。視野マスク１７９は、撮像素子１２７で撮像される被写体像範囲を示す矩形開口を有する。ファインダ観察者は、有機ＥＬ表示素子１８５に示された焦点検出装置１３９の測距点位置情報１９７（図８参照）を視野マスク１７９中の被写体像と重ねて見ることができる。
【００５２】
ＬＣＤ１０８ａのＬＣＤ表示領域１０８ｅから発し、ペンタプリズム１３２内に入射した光線１９２は、ペンタプリズム１３２の面１３２ｂから接眼窓１６８方向に射出される。しかし、その一部は接眼レンズ１３３ａにおいて反射し、再びペンタプリズム１３２内に入射され、フォーカシングスクリーン２３１上に入射する可能性がある。このとき、測光センサ１５６は撮影レンズ１２０を通過してきた被写体像の明るさに加え、接眼レンズ１３３ａで反射して入射した光線１９２ａの明るさも検出してしまう。すると、露光制御を行う為の被写体輝度情報の検出精度が低下する恐れがある。つまり、測光結果が実際の被写体輝度よりも明るいものとなってしまう恐れがある。そこで、測光センサ１５６で測光を行う際は、第２表示領域１９０ｄの表示輝度を調節して暗くすること、または第２表示領域１９０ｄの表示を中止するように制御することで、測光センサ１５６の検出精度の低下を防ぐものとする。ここではペンタプリズム１３２よりの接眼レンズ１３３ａによる反射について述べたが、他の接眼レンズ１３３ｂ、１３３ｃについても同様の反射が考えられる。
【００５３】
図５は液晶表示器１０８のＬＣＤ１０８ａの画面を示す図である。液晶表示器１０８のＬＣＤ１０８ａは、４：３のアスペクト比を有するカラーの表示部１０８ｃを有する。表示部１０８ｃは、撮像素子１２７と同じ３：２のアスペクト比を有するＬＣＤ表示領域１０８ｄと扁平横長のＬＣＤ表示領域１０８ｅとをそれぞれファインダ視野内の電子画像表示に供している。
【００５４】
また、ＬＣＤ１０８ａのＬＣＤ表示領域１０８ｄを発した光線１９３は、ペンタプリズム１３２の面１３２ｂからペンタプリズム１３２内に入射する。ペンタプリズム１３２内に入射した光線を光線１９２とする。ここで屈折して方向が変化した光線１９２は、次に面１３２ａに入射する。面１３２ａには銀蒸着が施されている。光線１９２はここで反射し、ペンタプリズム１３２に接着により固着されたプリズム１５４に入射する。光線１９２は、銀蒸着が施された面１５４ａで再び反射し、さらに、ペンタプリズム１３２の面１３２ａと連続するプリズム１５４の銀蒸着が施された面１５４ｂに戻ってさらに反射する。そして、光線１９２は、ペンタプリズム１３２の面１３２ｂから接眼窓１６８の方向へ射出する。
【００５５】
このように、プリズム１５４内での反射光路を構成することにより、接眼レンズ１３３からＬＣＤ表示領域１０８ｄまでの光路長は、接眼レンズ１３３からフォーカシングスクリーン１３１までの光路長に近くなる。ＬＣＤ表示領域１０８ｄの視度とフォーカシングスクリーン１３１の視度とはほぼ合致する。
【００５６】
さらに、プリズム１５４の面１５４ａに曲率を付与することで、ＬＣＤ表示領域１０８ｄの視度とフォーカシングスクリーン１３１の視度をより正確に合わせることができる。この際、面１５４ａが平面であっても、もともと両者の視度が近くなっているので、面１５４ａの曲率はごく弱いものでよい。また、面１５４ａの反射光路は偏芯系となるものの、光学諸収差の劣化は無視できる程度である。
【００５７】
図６はペンタプリズム１３２への光線の入射状態を示す図である。ＬＣＤ１０８ａのＬＣＤ表示領域１０８ｄを発した光線１９３のうち、緑色の光線１９３ｇは、ペンタプリズム１３２の面１３２ｂに対して角θ１で斜めに入射し、空気とガラスの界面で屈折し、角θ２でペンタプリズム１３２の内部を進む。ガラスの屈折率の色分散により、光の波長に応じて角θ１と角θ２との関係は異なるので、このままではＬＣＤ表示領域１０８ｄが電子画像表示に供された場合、上下方向の色滲みが発生し、解像感の悪い画像となってしまう。そこで、ＬＣＤ表示領域１０８ｄに表示される電子画像は、予めＲＧＢの画像を色分散によって発生する位置ズレ量だけシフトさせている。
【００５８】
図７はＬＣＤ表示領域１０８ｄに表示される電子画像の位置ズレ状態を示す図である。ＬＣＤ表示領域１０８ｄには、赤色の電子画像１９４ｒ、緑色の電子画像１９４ｇおよび青色の電子画像１９４ｂは上下方向に位置を異ならせてある。この結果、赤色の電子画像１９４ｒ、緑色の電子画像１９４ｇおよび青色の電子画像１９４ｂの対応する位置から発した光線１９３ｒ、１９３ｇ、１９３ｂは、図６に示すように、ペンタプリズム１３２の内部で１本の光線１９２として進行する。そして、最終的に色滲みがほとんど解消された状態で、光線１９２は観察者の目まで到達する。
【００５９】
また、ＬＣＤ１０８ａの表示領域１０８ｅを発した光線１９４（図３参照）は、導光プリズム１８１を経てペンタプリズム１３２の底面からペンタプリズム１３２に入射し、被写体光と同じようにペンタプリズム１３２内を反射して面１３２ｂから射出する。
【００６０】
図８はファインダ視野内の表示を示す図である。ファインダ視野内の表示は、第１表示領域１９１、第２表示領域１９０ｄ、第３表示領域１９０ｅおよび測距点位置情報１９７から構成される。第１表示領域１９１は、視野マスク１７９の開口によって規定された被写体の光学像を示す。第２表示領域１９０ｄは、第１表示領域１９１の上方にあって、ＬＣＤ１０８ａのＬＣＤ表示領域１０８ｄに基づく画像による情報表示を行う。第３表示領域１９０ｅは、第１表示領域１９１の下方にあって、ＬＣＤ１０８ａのＬＣＤ表示領域１０８ｅに基づく文字列やアイコンによる情報表示を行う。測距点位置情報１９７は、第１表示領域１９１の内部にあって、有機ＥＬ表示素子１８５によって示される。この際、第２表示領域１９０ｄ、第３表示領域１９０ｅおよび測距点位置情報１９７の表示輝度は、いずれも測光センサ１５６および測光レンズ１５５からなる測光装置の出力に基づき、視認するに適切な値に制御される。
【００６１】
図８の第２表示領域１９０ｄに表示される電子画像は、情報表示の１つとして、前回撮影された画像である。この電子画像によれば、光学ローパスフィルタ上に付着した異物が写り込んでしまったことによって、黒点１９５が存在したことが判る。また、撮像素子防振機構１７１が作動したことによって、被写体の上方が欠けた意図しない構図の被写体像になってしまっていることが判る。さらには、適切なホワイトバランスが設定されていること、画像がブレていないこと、ピントが被写体に合っていることなどが判る。
【００６２】
さらに、画像の属性に対応した所定のマークを画像と同時に表示することによって、その画像に付加された情報を表すことができる。例えば、図８に示したダイヤ形のマーク１９６は、改ざん検知用データ処理回路１６６によって、前回撮影した画像に対し、適切に改ざん検知用データが付加されたことを表している。また、他のカメラで撮影された画像を表示した場合には、改ざん検知判定結果を他のマークで示してもよい。
【００６３】
なお、本実施形態では、液晶表示器１０８を用いたが、この代わりに有機ＥＬ表示器を用いてもよい。この場合、バックライト１０８ｂは不要となる。
【００６４】
上記構成を有するデジタル一眼レフカメラにおいて、ＣＰＵ１４１の動作シーケンスを示す。図９はデジタル一眼レフカメラでスイッチ入力部１４２のレリーズ釦を半押し操作（第１レリーズオン操作）した後に実行される撮像動作手順を示すフローチャートである。このフローチャートは、ＣＰＵ１４１のメインフローチャート内にてコールされるサブルーチンである。なお、ＣＰＵ１４１のメインフローチャートは従来公知の技術であるので、ここでの説明を省略する。
【００６５】
まず、ＣＰＵ１４１は、測光動作に入る前に第２表示領域１９０ｄに電子画像が表示されているかを判別する（ステップＳ１００１）。
【００６６】
第２表示領域１９０ｄに電子表示がされている場合、表示制御手段としてのＣＰＵ１４１は、測光検出精度の低下を防ぐために、バックライト１０８ｂを構成する白色ＬＥＤへの電流供給を停止することで、第２表示領域１９０ｄの電子表示を中断する（ステップＳ１００２）。この第２表示領域１９０ｄに表示されている電子画像は、前回撮影された電子画像であり、ＣＰＵ１４１によって次のように処理されたものである。すなわち、ＣＰＵ１４１は、フラッシュメモリ１５０から前回書き込んだ画像データ（デジタル画像信号）を読み出す。そして、ファインダ装置１３０の第２表示領域１９０ｄにその電子画像を表示するように指示する制御信号を、信号処理回路１４５に送出する。信号処理回路１４５は、この制御信号を受けると、画像データを一時的にＳＤＲＡＭ１４８に格納するとともに、この画像データをコンポジット信号に変換する処理を行う。信号処理回路１４５は、このコンポジット信号を液晶表示器１０８に供給し、ＬＣＤ１０８ａに撮像された電子画像を表示させる。この結果、ファインダ装置１３０の第２表示領域１９０ｄには、前回撮像された電子画像が表示される。ＣＰＵ１４１は、バックライト１０８ｂを構成する白色ＬＥＤへの電流供給量を変更することで、バックライト１０８ｂの光量を調整する。ＣＰＵ１４１は、撮像前に測光した被写体輝度（輝度情報）に基づき、ＬＣＤ１０８ａに表示された電子被写体像を視認するのに適切な光量で照明する。
【００６７】
次に、ＣＰＵ１４１は、測光レンズ１５５を介して測光センサ１５６を駆動し、測光を行い、測光センサ１５６からの出力を用いて被写体の輝度を測定する（ステップＳ１００３）。ＣＰＵ１４１は、その輝度情報から露光量（絞り機構１２２の絞り込み量、シャッタ１２６のシャッタスピードおよび撮像素子感度）を所定の演算ブログラムに従って演算する。
【００６８】
ＣＰＵ１４１は、再び第２表示領域１９０ｄに電子画像を表示する為に、Ｓ１００２で停止していたバックライト１０８ｄの白色ＬＥＤへの電流供給を再開する（ステップＳ１００４）。
【００６９】
ＣＰＵ１４１は、ＡＦセンサ駆動回路１３７を介してＡＦセンサ１２９を駆動し、撮像レンズ１２０のデフォーカス量（測距値）を測定する（ステップＳ１００５）。さらに、ＣＰＵ１４１は、この測距値に基づき、レンズ群１２１、１６７、１２３の合焦動作を行う。
【００７０】
この後、ＣＰＵ１４１は、カメラ操作者によってレリーズ釦が深押しされているか否か、つまりスイッチ入力部１４２に接続された第２レリーズスイッチがオンになっているか否かを判別する（ステップＳ１００６）。
【００７１】
第２レリーズスイッチがオンになっていない場合、ＣＰＵ１４１は、カメラ操作者によってレリーズ釦が半押しされているか否か、つまり第１レリーズスイッチがオンになっているか否かを判別する（ステップＳ１０１７）。第１レリーズスイッチがオンになっている場合、ＣＰＵ１４１は、レリーズ釦が半押しされている状態であると判断し、ステップＳ１００１の処理に戻る。一方、第１レリーズスイッチがオンになっていない場合、カメラ操作者がレリーズ釦から指を離したと考えられるので、ＣＰＵ１４１は、そのままメインフローチャートで示されるメインルーチンに復帰する。
【００７２】
一方、ステップＳ１００６で第２レリーズスイッチがオンになっている場合、レリーズ釦が深押しされていると判断し、ミラー駆動回路１３６を介して可動ミラー１２４を第１の位置から第２の位置である撮像光路外に退避させる（ステップＳ１００７）。ＣＰＵ１４１は、ステップＳ１００７でミラーアップを行った後、ステップＳ１００３で演算された絞り込み量に基づき、絞り駆動回路１３５を介して絞り機構１２２の絞り込み動作を行う（ステップＳ１００８）。
【００７３】
ＣＰＵ１４１は、撮像開始を指示する信号を信号処理回路１４５に送出する（ステップＳ１００９）。信号処理回路１４５は、この信号を受けると、撮像素子１２７の電荷蓄積動作を開始させる。ＣＰＵ１４１は、ステップＳ１００３で演算されたシャッタスピードに基づき、シャッタ１２６を開閉する（ステップＳ１００９）。
【００７４】
ＣＰＵ１４１は、シャッタ１２６を閉成した後、信号処理回路１４５に撮像停止を指示する信号を送出する（ステップＳ１０１０）。信号処理回路１４５は、この信号を受けると、撮像素子１２７での電荷蓄積動作を終了させる。さらに、信号処理回路１４５は、撮像素子１２７から画像信号を読み出してアナログデジタル（Ａ／Ｄ）変換を行い、デジタル画像信号に変換する処理、およびこれに付随する画像処理を実行する（ステップＳ１０１１）。
【００７５】
ＣＰＵ１４１は、上記デジタル画像信号の格納および表示を指示する制御信号を信号処理回路１４５に送出する（ステップＳ１０１２）。信号処理回路１４５は、この信号を受けると、上記デジタル画像信号を一時的にＳＤＲＡＭ１４８の連写データ蓄積領域に順番に格納するとともに、同データをコンポジット信号に変換する処理を行う。信号処理回路１４５は、このコンポジット信号を液晶表示器１０８に供給し、ＬＣＤ１０８ａに撮像された電子画像を表示する。この結果、ファインダ装置１３０の第２表示領域１９０ｄには、その電子画像が表示される。この際、ＣＰＵ１４１は、バックライト１０８ｂを構成する白色ＬＥＤへの電流供給量を変更することで、バックライト１０８ｂの光量を調整する。そして、ＣＰＵ１４１は、撮像前に測光した被写体輝度に基づき、ＬＣＤ１０８ａに表示された電子被写体像を視認するに適切な光量で照明する。
【００７６】
ＣＰＵ１４１は、絞り駆動回路１３５を介して絞り機構１２２を絞り込み状態から開放状態に戻す（ステップＳ１０１３）。ＣＰＵ１４１は、ミラー駆動回路１３６を介して可動ミラー１２４を第１の位置である撮像光路内に復帰させる（ステップＳ１０１４、ミラーダウン）。
【００７７】
ＣＰＵ１４１は、第２レリーズスイッチがオフであるか否かを判別する（ステップＳ１０１５）。第２レリーズスイッチがオフでない場合、ＣＰＵ１４１は、ステップＳ１００１の処理に戻り、第２レリーズスイッチがオフになるまでステップＳ１００１からステップＳ１００１５までの処理を繰り返す。つまり、この時点で第２レリーズスイッチがオフでない場合、連写は継続される。そして、ファインダ装置１３０には、直前に撮像された電子被写体像が動画のように順次表示されることになる。
【００７８】
一方、ステップＳ１０１５で第２レリーズスイッチがオフである場合、カメラ操作者が連写を終了させようとしていると判断する。この場合、ＣＰＵ１４１は、ＳＤＲＡＭ１４８に一時的に記憶されている連写画像をフラッシュメモリ１５０の所定の記憶領域に記憶するように、信号処理回路１４５に指示する（ステップＳ１０１６）。この後、ＣＰＵ１４１は、メインルーチンに復帰する。
【００７９】
図１０はＣＰＵ１４１の動作シーケンスに基づくカメラ動作を示すタイミングチャートである。図では、レリーズ釦の半押し操作が行われた後、レリーズ釦の深押し操作によって３コマの撮影が行われ、その後、レリーズ釦の半押し操作が少しの間継続している状態が表されている。
【００８０】
まず、時刻Ｔ１において、第１レリーズスイッチがオフからオンに切り換わると、ファインダ装置１３０の第２表示領域１９０ｄの電子画像表示が中断され、直ちに測光および露光量演算が行われる。時刻Ｔ２において、測光動作を終了し、前回撮影された画像Ｓがファインダ装置１３０の第２表示領域１９０ｄに再び表示される。
【００８１】
時刻Ｔ３において、第２レリーズスイッチがオフからオンに切り換わると、可動ミラー１２４がアップ位置に移動すると共に、撮影レンズ１２０の絞り１２２が絞り込まれる。
【００８２】
時刻Ｔ３において、画像Ａのための撮像素子１２７の電荷蓄積動作が開始され、その間にシャッタ１２６の開閉が行われる。シャッタ１２６が閉じられると、撮像素子１２７の電荷蓄積動作は停止し、画像Ａの画像信号の読み出しおよびＡ／Ｄ変換が開始される。また、絞り１２２の開放動作および可動ミラー１２４のダウン位置への移動動作が行われる。
【００８３】
画像Ａの画像信号の読み出しおよびＡ／Ｄ変換が終了すると、デジタル画像信号は一時的にＳＤＲＡＭ１４８の連写データ蓄積領域に順番に格納される。この画像データはコンポジット信号に変換処理され、このコンポジット信号は液晶表示器１０８に供給されると、ＬＣＤ１０８ａには撮像された画像Ａが表示され、ファインダ装置１３０内の第２表示領域１９０ｄで視認可能となる。なお、画像Ａへの電子画像表示更新指示が出るまで、ファインダ装置１３０の第２表示領域１９０ｄには、画像Ｓが時刻Ｔ１から継続して表示される。
【００８４】
時刻Ｔ５においても、レリーズ釦の深押し操作が継続し、第２レリーズスイッチがオンになっている場合、第２表示領域１９０ｄの表示を中断するとともに、測光及び露光量演算が行われる。
【００８５】
時刻Ｔ６において、測光動作が終了すると、再び可動ミラー１２４がアップ位置に移動するとともに、撮影レンズ１２０の絞り１２２が絞り込まれる。
【００８６】
時刻Ｔ７において、画像Ｂを撮影するための撮像素子１２７の電荷蓄積動作が開始され、その間にシャッタ１２６の開閉が行われる。シャッタ１２６が閉じられると、撮像素子１２７の電荷蓄積動作は停止し、画像Ｂの画像信号の読み出しおよびＡ／Ｄ変換が開始される。また、絞り１２２の開放動作および可動ミラー１２４のダウン位置への移動動作が行われる。
【００８７】
画像Ｂの画像信号の読み出しおよびＡ／Ｄ変換が終了すると、デジタル画像信号は一時的にＳＤＲＡＭ１４８の連写データ蓄積領域に順番に格納される。この画像データはコンポジット信号に変換処理され、このコンポジット信号は液晶表示器１０８に供給されると、ＬＣＤ１０８ａには撮像された画像Ｂが表示され、ファインダ装置１３０内の第２表示領域１９０ｄで視認可能となる。なお、画像Ｂへの電子画像表示更新指示が出るまで、ファインダ装置１３０の第２表示領域１９０ｄには、画像Ａが表示される。
【００８８】
時刻Ｔ８においても、レリーズ釦の深押し操作が継続し、第２レリーズスイッチがオンになっている場合、時刻Ｔ５、Ｔ６、Ｔ７と同様の動作が繰り返され、画像Ｃの撮像動作が行われる。なお、画像Ｃへの電子画像表示更新指示が出るまで、ファインダ装置１３０の第２表示領域１９０ｄには、画像Ｂが表示されている。
【００８９】
時刻Ｔ９において、レリーズ釦の深押し操作が終了し、第２レリーズスイッチがオフになると、連写が終了する。ただし、画像Ｃの画像信号の読み出しおよびＡ／Ｄ変換が行われ、画像Ｃへの表示更新動作は継続して行われる。
【００９０】
時刻Ｔ１０において、レリーズ釦の半押し操作が終了し、第１レリーズスイッチがオフになった場合、ファインダ装置１３０の第２表示領域１９０ｄへの電子画像表示は停止する。
【００９１】
なお、上記動作シーケンスにおいて、画像信号の読み出し、Ａ／Ｄ変換、画像データのメモリ（ＳＤＲＡＭ１４８）への格納、絞り１２２の開放、および可動ミラー１２４の第１の位置（ダウン位置）への復帰は、次のコマの撮影準備動作である。この撮影準備動作に同期して第２表示領域１９０ｄに表示される電子画像の更新が行われる。
【００９２】
このように、第１の実施形態のカメラによれば、ファインダから目を離すことなく被写体の光学像の観察を可能としたままで、電子画像をもって撮影された画像の状態、カメラの設定状態および撮影補助情報を確認可能である。同時に、撮影動作に移る際にも精度の高い測光結果を得ることができるので、ユーザの意図する撮影画像を得ることができる。
【００９３】
なお、本実施形態では測光動作を行う間は第２表示領域１９０ｄに表示される表示機１０８のバックライト１０８Ｃへの電流供給を停止させているが、第２表示領域１９０ｄの表示輝度を測光の精度に影響を与えない閾値以下の電流を供給しても良い。
【００９４】
［第２の実施形態］
図１１は、第２の実施形態におけるデジタル一眼レフカメラの一部の構成を示すブロック図である。図１２は、第２実施形態におけるデジタル一眼レフカメラで、レリーズ釦を半押し操作（第１レリーズスイッチオン）した後に実行される撮像動作手順を示すフローチャートである。
【００９５】
第１の実施形態との違いは、測光動作時に、第２表示領域に表示された電子画像の輝度を調整すると共に、もしくは、輝度を調整することなく測光センサ１５６の検出結果を第２表示領域に表示している電子画像の輝度を用いて補正する制御を行うことである。
【００９６】
図１１においては、図１と共通するブロックは省略しており、以下では共通する符号はそのまま用いて説明する。
【００９７】
図１１において、撮像素子１２７で撮像された電子画像は、表示輝度演算部５００６において表示輝度が演算され、その演算結果は液晶表示ドライバ５００４に送られる。液晶表示ドライバ５００４は、演算された輝度に従ってバックライト１０８ｂの電流を供給する。第２表示領域には、これに応じた明るさで前回撮影された電子画像が表示される。液晶ドライバ５００４によって制御される輝度値はＡＥ補正演算部５００５に送られ測光値の補正値が演算される。
【００９８】
一方、測光センサ１５６によって検出された被写体像の測光結果は、測光演算部５００１において、露光動作を行う際の被写体輝度情報が求められる。このとき、測光演算部５００１では、第１の実施形態で説明したように、第２表示領域に表示された電子画像の光が接眼レンズ１３３で反射し、フォーカシングスクリーン１３１に入射した光線を含めて演算してしまう。そこで、本実施形態では、測光演算補正部５００２において測光値の補正を行う。測光演算補正部５００２は、測光演算部５００１の演算結果とＡＥ補正演算部５００５の演算結果を用いて、測光値を補正する。露光制御部５００２では、補正された測光値を用いて、露光動作における絞り機構の絞込み量、シャッタスピードおよび撮像素子感度を決定する。
【００９９】
次に、図１２のフローチャートについて述べる。まず、ＣＰＵ１４１は、測光レンズ１５５を介して測光センサ１５６を動作させ、測光センサ１５６からの出力を用いて被写体の輝度を測定する（ステップＳ２００１）。
【０１００】
そして、ステップＳ２００２で、ＣＰＵ１４１は、現在の第２表示領域に表示されている電子画像の輝度情報から、ステップＳ２００１で得られた輝度値を補正する。ステップＳ２００３では、これに基づいて露光量（絞り込み量、シャッタスピードおよび撮像素子感度）を所定の演算ブログラムに従って演算する。
【０１０１】
ステップＳ２００４らステップＳ２０１６までにおいては第１の実施形態の図９のステップＳ１００５からステップＳ１０１７と同様の動作を行うため、ここでは省略する。
【０１０２】
上記の説明においては、電子画像の表示輝度については何ら調整を行うことなく、測光値で補正を行う構成で説明したが、これに限らない。すなわち、電子画像の表示輝度を測光時に下げ（暗くして）、その上で、その影響分を測光センサから出力された測光値に織り込むことで補正を行うようにしても良い。
【０１０３】
このように第２の実施形態によれば、ファインダから目を離すことなく被写体の光学像の観察を可能としたままで、電子画像をもって撮影された画像の状態、カメラの設定状態および撮影補助情報を確認可能である。同時に、撮影動作に移る際にも精度の高い測光結果を得ることができるので、ユーザの意図する撮影画像を得ることができる。
【０１０４】
また、本発明の目的は、前述した各実施の形態の機能を実現するソフトウェアのプログラムコードを記憶した記憶媒体を装置に供給し、その装置のコンピュータが記憶媒体に格納されたプログラムコードを読み出し実行することによっても達成される。この場合、記憶媒体から読み出されたプログラムコード自体が前述した各実施の形態の機能を実現することになり、そのプログラムコードおよびプログラムコードを記憶した記憶媒体は本発明を構成することになる。
【図面の簡単な説明】
【０１０５】
【図１】第１の実施形態におけるデジタル一眼レフカメラの電気回路の概略的構成を示す図である。
【図２】信号処理回路１４５の電気回路の構成およびそれに接続される周辺回路を示すブロック図である。
【図３】ファインダ装置１３０の構成を示す断面図である。
【図４】図３の矢印Ａ方向から視た場合のファインダ装置１３０の構成を示す側面図である。
【図５】液晶表示器１０８のＬＣＤ１０８ａの画面を示す図である。
【図６】ペンタプリズム１３２への光線の入射状態を示す図である。
【図７】ＬＣＤ表示領域１０８ｄに表示される電子画像の位置ズレ状態を示す図である。
【図８】ファインダ視野内の表示を示す図である。
【図９】デジタル一眼レフカメラでレリーズ釦を半押し操作した後に実行される撮像動作手順を示すフローチャートである。
【図１０】ＣＰＵ１４１の動作シーケンスに基づくカメラ動作を示すタイミングチャートである。
【図１１】第２の実施形態におけるデジタル一眼レフカメラでの一部の構成を示すブロック図である。
【図１２】第２の実施形態におけるデジタル一眼レフカメラで、レリーズ釦を半押し操作した後に実行される撮像動作手順を示すフローチャートである。
【符号の説明】
【０１０６】
５０  デジタル一眼レフカメラ
１２７  撮像素子
１３０  ファインダ装置
１４１  ＣＰＵ
１６８  接眼窓
１９０ｄ  第２表示領域
１９１  第１表示領域
【図１】
2010016611.tif 000003
【図２】
2010016611.tif 000004
【図３】
2010016611.tif 000005
【図４】
2010016611.tif 000006
【図５】
2010016611.tif 000007
【図６】
2010016611.tif 000008
【図７】
2010016611.tif 000009
【図８】
2010016611.tif 000010
【図９】
2010016611.tif 000011
【図１０】
2010016611.tif 000012
【図１１】
2010016611.tif 000013
【図１２】
2010016611.tif 000014